(57)【要約】【課題】本考案は、多大なコストの負担なしに、補助照明の照射方向を自由に変えて期待通りの撮像を行うことが可能で、小型化が容易な細隙灯顕微鏡用補助照明装置を提供する。【解決手段】本考案の細隙灯顕微鏡用補助照明装置は、細隙灯顕微鏡に装着されて使用される補助照明装置であって、患者の被検眼に光を照射し得る発光ダイオードからなる少なくとも１つの照明部と、細隙灯顕微鏡に取り付けられて照明部の動作状態を制御し得る制御部と、制御部から照明部に電力を供給する、制御部に対する照明部の相対的位置関係を任意に決定し、保持可能なフレキシブルケーブルを備える。【選択図】図１
0003124676.tif 000002
【実用新案登録請求の範囲】
【請求項１】
顕微鏡本体と、患者の頭部を静止状態に支持する顎台部と、前記顎台部によって支持された前記患者の被検眼に細隙光を照射する細隙灯と、前記被検眼の細隙像を撮影する撮像装置と、を有する細隙灯顕微鏡に装着されて使用される補助照明装置であって、
前記被検眼に光を照射し得る発光ダイオードからなる少なくとも１つの照明部と、
前記細隙灯顕微鏡に取り付けられて前記照明部の動作状態を制御し得る制御部と、
前記制御部から前記照明部に電力を供給する、前記制御部に対する前記照明部の相対的位置関係を任意に決定し、保持可能なフレキシブルケーブルと、
を備えることを特徴とする細隙灯顕微鏡用補助照明装置。
【請求項２】
前記制御部は、
前記照明部の作動状態と非作動状態とを切り替えるとともに、前記照明部の発光強度を調整可能なボリュームと、
を含むことを特徴とする請求項１に記載の細隙灯顕微鏡用補助照明装置。
【請求項３】
前記照明部は、
前記発光ダイオードの照射方向前面に配置される照明色変換手段と、
を含むことを特徴とする請求項１または請求項２に記載の細隙灯顕微鏡用補助照明装置。
【考案の詳細な説明】
【技術分野】
【０００１】
本考案は、細隙灯顕微鏡に装着されて使用される補助照明装置に関するものである。
【背景技術】
【０００２】
従来、眼科における診断に際して、細隙灯顕微鏡が一般に使用されている。細隙灯顕微鏡は、顕微鏡本体と、患者の頭部を静止状態に支持する顎台部と、顎台部によって支持された患者の被検眼に斜め方向から強い細隙光を照射する細隙灯と、被検眼の細隙像を撮影するデジタルカメラ等の撮像装置とを有している。眼科医は、顕微鏡本体によって、被検眼の細隙像を観察し、診断を行うとともに、撮像装置が取り込んだ画像情報を、プリントアウトし、またはコンピュータの補助記憶装置に保存する等していた。
【０００３】
また、近年、眼科の分野においても、インフォームド・コンセントが広く行われるようになってきていることから、撮像装置が取り込んだ画像情報をモニターに表示し、またはプリントアウトし、それを用いて、細隙灯顕微鏡による診断の結果を患者に説明することがなされている。
【０００４】
しかしながら、この場合、細隙光による照明のみを使用して撮像装置によって取り込まれた画像では、図３（Ａ）に示されるように、被検眼の角膜に照射された細隙光８が反射した細隙像７、即ち、被検眼における細隙光の照射を受けた限られた領域しか視認できず、患者は、自己の病状についての説明を十分に理解することが難しかった。
【０００５】
そこで、細隙光による照明に補助照明を追加し、併用することで、図３（Ｂ）に示されるように、補助照明が、細隙光が照射する領域の周辺部を照射し、被検眼全体を撮像する検討がなされてきた。
【０００６】
そのひとつは、細隙灯顕微鏡本体の鏡頭部に備えられた対物レンズの周辺に、複数の補助照明を設けたものである（例えば、特許文献１参照）。これにより、被検眼全体の撮影は可能となったが、細隙灯顕微鏡を新規に購入しなおすか、あるいは、眼科医の既存の設備を利用する場合においては、細隙灯顕微鏡の主要部分に大規模な改造を行う必要があり、いずれも眼科医に多大なコスト負担を強いるものであった。また、補助光源が、対物レンズ周辺に内蔵されているために、補助照明の照射方向が限定されてしまい、期待通りの撮像ができない場合があった。
【０００７】
さらに、公知の補助照明装置として、既存の細隙灯顕微鏡に外付けして使用されるものがある。一般に、この補助照明装置は、光源としてハロゲン球を使用しており、ハロゲン球が内蔵された光源ボックスにライトガイドを差し込み、補助照明となる、ライトガイドのもう一方の端面を、細隙灯顕微鏡の鏡頭部に両面テープ等で固定して使用されている。この補助照明装置は、ハロゲン球が必要とする電力が大きいために、発熱対策が施された大型の光源部を必要とし、ライトガイドの引き回しに手間が掛かり、さらに、装置構成が複雑なため高価である、といった問題点があった。
【特許文献１】特開２００２−１０２１７３号公報
【考案の開示】
【考案が解決しようとする課題】
【０００８】
このような問題を鑑み、本考案は、多大なコストの負担なしに、補助照明の照射方向を自由に変えて期待通りの撮像を行うことが可能で、小型化が容易な細隙灯顕微鏡用補助照明装置を提供する。
【課題を解決するための手段】
【０００９】
上記問題を解決するために、本考案の細隙灯顕微鏡用補助照明装置は、顕微鏡本体と、患者の頭部を静止状態に支持する顎台部と、顎台部によって支持された患者の被検眼に細隙光を照射する細隙灯と、被検眼の細隙像を撮影する撮像装置とを有する細隙灯顕微鏡に装着されて使用される補助照明装置であって、被検眼に光を照射し得る発光ダイオードからなる少なくとも１つの照明部と、細隙灯顕微鏡に取り付けられて照明部の動作状態を制御し得る制御部と、制御部から照明部に電力を供給する、制御部に対する照明部の相対的位置関係を任意に決定し、保持可能なフレキシブルケーブルを備える。
【００１０】
好ましくは、上記制御部は、照明部の作動状態と非作動状態とを切り替えるとともに、照明部の発光強度を調整可能なボリュームを備えている。
【００１１】
さらに好ましくは、上記照明部は、発光ダイオードの照射方向前面に配置される照明色変換手段を備えている。
【考案の効果】
【００１２】
本考案によれば、多大なコストの負担なしに、補助照明の照射方向を自由に変えて期待通りの撮像を行うことが可能で、小型化が容易な細隙灯顕微鏡用補助照明装置が得られる。
【考案を実施するための最良の形態】
【００１３】
以下、図面を参照して、本考案の実施の形態について説明を行う。
【００１４】
図１は、本考案の補助照明装置が取り付けられた状態の細隙灯顕微鏡を示す側面図である。顕微鏡本体１は、公知の顕微鏡本体であり、接眼レンズを有する接眼レンズ部１１と対物レンズ（図示せず）を有している。細隙灯３は、強い細隙光を顎台部２によって支持された患者の被検眼に斜め方向から照射する。眼科医は、対物レンズと接眼レンズを介して、細隙光が照射された被検眼を診察する。対物レンズを介して得られた像は、接眼レンズから視認されるのと同時に、撮像部４で撮像され、画像情報に変換される。図１には示していないが、撮像部４は、プリンター、モニター、コンピュータ等に接続されており、画像情報は、診察と同時に、または診察の後に確認することができる。
【００１５】
本例では、補助照明装置６の制御部６１は、診断時の作業性を考慮して顕微鏡本体１の支持部５に装着した。
【００１６】
次に、図２を参照して、補助照明装置６について詳細な説明を行う。補助照明装置６は、制御部６１と、フレキシブルケーブル６２と、照明部６３と、電源ケーブル６５を有している。フレキシブルケーブル６２は、制御部６１から照明部６３に電力を供給するのと同時に、制御部６１に対する照明部６３の相対的位置を、その可撓性により任意に決定し、保持することができる。このため、眼科医は、被検眼に、任意の位置および方向から補助照明を照射することができる。なお、制御部６１にバッテリー等を内蔵して、照明部６３に電力を供給し得る場合は、電源ケーブル６５を省略することができる。
【００１７】
制御部６１は、照明部６３を作動状態と非作動状態に切り替えるとともに、照明部の発光強度を調整可能なボリュームとを有している。本例では、照明部の作動／非作動状態切り替え機能と、発光強度調整機能を１つのボリュームで実現しているが、例えば、トグルスイッチ等の、他の任意のスイッチを複数組み合わせて使用し、各機能を別々に実現してもよい。
【００１８】
照明部６３は、発熱が非常に小さい発光ダイオード（ＬＥＤ）を有している（ハロゲン球：１００〜１５０Ｗに対して、ＬＥＤ：約１Ｗ）。本例では、白色ＬＥＤを使用した。ＬＥＤの照射方向前面、例えば、照明部６３の発光端面６４には、照明色変換手段（本例では、色温度変換フィルタ）を取り付けることができる。
【００１９】
一般に、照明部６３による補助照明は、細隙灯３による細隙光と近似した種類の光に調整するのが望ましい。本例では、照明色変換手段である色温度変換フィルタは、照明部６３の外部に取り付けたが、ＬＥＤの照射方向前面であれば、ＬＥＤ照明部６３に内蔵してもよい。また、照明色変換手段は、ＬＥＤと独立して備えられるものに限定されない。例えば、ＬＥＤに含まれる、発光素子の材料や被覆樹脂の材料等の差異により、発光色が異なる複数のＬＥＤ（ＲＧＢ３原色等）を備えて、または、材料が異なる複数の発光素子が封入され多色発光可能なＬＥＤを備えて、その各色成分の発光強度を調整する等して、ＬＥＤ自身が照明色変換手段を兼ねてもよい。
【００２０】
本例の制御部６１は、ひとつの照明部６３を有しているが、これに限定されず、照明部６３は複数であってもよい。また、もちろん、複数の補助照明装置６を顕微鏡本体１に装着し、同時に使用することもできる。
【００２１】
また、補助照明装置６の制御部６１を顕微鏡本体１に装着する位置は、フレキシブルケーブル６２の長さを適宜調整して、他の場所にすることもできる。また、その装着方法は、本例では両面テープを用いたが、公知の、他の装着方法も適用することができる。
【図面の簡単な説明】
【００２２】
【図１】本考案の補助照明装置が取り付けられた状態の細隙灯顕微鏡を示す側面図である。
【図２】本考案の補助照明装置の斜視図である。
【図３】撮像部で取り込まれた画像であって、（Ａ）は補助照明装置を使用しない従来の細隙灯顕微鏡による画像、（Ｂ）は本考案の補助照明装置を使用した細隙灯顕微鏡による画像である。
【符号の説明】
【００２３】
１      顕微鏡本体
１１    接眼レンズ部
２      顎台部
３      細隙灯
４      撮像部
５      支持部
６      補助照明装置
６１    制御部
６１１  ボリューム
６２    フレキシブルケーブル
６３    照明部
６４    発光端面
６５    電源ケーブル
７      細隙像
８      被検眼に照射された細隙光
【図１】
0003124676.tif 000003
【図２】
0003124676.tif 000004
【図３】
0003124676.tif 000005